(57)【要約】【課題】ケースと、ケース内に収容される充電ユニットとを備えており、ケース内に侵入した液滴や水塊を速やかに排出できる充電器を提供する。【解決手段】充電対象Ｓを収容する装填凹部７を備えたケース１と、ケース１内に固定される充電ユニット２とを備えている。充電ユニット２は、内ケース２１内には電装品Ｈが絶縁樹脂２２で封止固定されている。内ケース２１の上壁２５に接続ブロック２３と充電端子２４とを配設する。装填凹部７の底壁に、装填凹部７内に入り込んだ水を内ケース２１へ向かって流下させる流下口９・１０が開口している。流下口９・１０から流れ込む水をケース１の外へ流動案内する排水路３２・３３が、充電端子２４の配設位置を避けて区画されている。【選択図】　　　　図１
2004023875.tif 000002
【特許請求の範囲】
【請求項１】
充電対象Ｓを収容するための装填凹部７を備えたケース１と、ケース１内に固定される充電ユニット２とを備えており、
充電ユニット２は、内ケース２１と、内ケース２１内に配設されている電装品Ｈと、内ケース２１の上壁２５に固定される接続ブロック２３と、接続ブロック２３内に組み付けられて充電電流を出力する充電端子２４とを含み、
装填凹部７の底壁には、接続ブロック２３用の通口８と、装填凹部７内に入り込んだ水を内ケース２１へ向かって流下させる流下口９・１０とを有し、
流下口９・１０から流れ込む水をケース１の外へ流動案内する排水路３２・３３が、充電端子２４の配設位置を避ける状態で、内ケース２１の上壁２５から周側面にわたって区画形成されている充電器。
【請求項２】
上壁２５に溢れ出た水の流下部位を周縁１箇所に流動規制する擁壁２６が、上壁２５の周縁に突設されている請求項１記載の充電器。
【請求項３】
排水路３２・３３の流下部位と、上壁２５および擁壁２６で規定された流下部位とが、内ケース２１の一側周縁に集約されている請求項２記載の充電器。
【請求項４】
排水路３２・３３が、上壁２５に突設したリブ壁３４・４０で区画される横樋３５・４１と、横樋３５・４１に連続して内ケース２１の周側面に区画される縦樋３６・４２とで構成されている請求項２または３記載の充電器。
【請求項５】
排水路３２の縦樋３６が上壁２５の周縁一側を占める状態で形成されており、
上壁２５および擁壁２６で規定される流下部位が、縦樋３６に連続している請求項４記載の充電器。
【請求項６】
縦樋３６・４２が、内ケース２１の周側面と、周側面と一体に形成した壁とで管路状に区画されており、
縦樋３６・４２の下端に排水出口３７・４３を設けている請求項４または５記載の充電器。
【請求項７】
ケース１が、下向きに開口するケース本体１Ａと、ケース本体１Ａの下面開口を塞ぐ底蓋１Ｂとで構成されており、
縦樋３６・４２の下端に設けた排水出口３７・４３が底蓋１Ｂに形成された排水口１５・１６内に嵌まり込んでいる請求項４、５または６記載の充電器。
【請求項８】
縦樋３６・４２の上端が、擁壁２６と同じ高さで突出している請求項４、５、６または７記載の充電器。
【請求項９】
リブ壁３４は、その側端が縦樋３６の上面開口を横切って、縦樋３６の周壁と一体に形成されている請求項４から８のいずれかに記載の充電器。
【請求項１０】
リブ壁３４の側端が、縦樋３６の内面上部に入り込んで規制壁３８を形成している請求項９記載の充電器。
【請求項１１】
接続ブロック２３と充電端子２４とが、それぞれ上壁２５に突出した突起２８ａ・２８ｂ、およびねじボス２９に受け止められて、上壁２５から浮き離れた状態で支持固定されている請求項１記載の充電器。
【請求項１２】
充電端子２４が、リード腕５５および接触片５６を備えたマイナス端子２４Ｍと、接触片５３を有する一対のリード腕５２および一対のリード腕５２どうしを繋ぐ接続枠５１を備えたプラス端子２４Ｐとからなり、
プラス端子２４Ｐの接続枠５１が、マイナス端子２４Ｍのリード腕５５の突端外方に突出しており、
マイナス端子２４Ｍのリード腕５５の突出端寄りと、プラス端子２４Ｐの接続枠５１とにそれぞれリード線４９が前後に位置ずれした状態で接続されている請求項１１に記載の充電器。
【請求項１３】
プラス端子２４Ｐの接続枠５１が、マイナス端子２４Ｍのリード腕５５より上方に立ち上がる状態で起立している請求項１２に記載の充電器。
【請求項１４】
接続ブロック２３が、ベース６０と、ベース６０の上面に突設される接続突起６１とを備えており、
接続突起６１の内部に設けた端子室６２内に、正負の両端子２４Ｐ・２４Ｍの接触片５３・５６が収容され、その天井壁にプラグピン５用の通口６３が開口しており、
正負の両端子２４Ｐ・２４Ｍのリード腕５２・５５が、突起２８ａ・２８ｂと接続ブロック２３とで挟持固定されている請求項１２記載の充電器。
【発明の詳細な説明】
【０００１】
【発明の属する技術分野】
本発明は、２次電池、または２次電池を駆動源とする小形電気機器用の充電器、なかでも電動歯ブラシなどの水洗い式に構成された小形電気機器に好適な充電器に関する。
【０００２】
【従来の技術】
水洗い可能な小形電気機器用の充電器は、小形電気機器から流下する液滴や水塊による短絡等を防止するために、防水構造を採ることが不可欠となる。しかし、充電電流を印加するための充電端子は、導通可能に常時露出しておく必要がある。
【０００３】
そのため、充電端子や、充電端子周辺のリード線などの絶縁処理、あるいは防水処理が問題となる。防水処理に関して、例えば特開平６−１９７４５９号公報の充電器では、充電端子やそのリード端子を端子基台にインサート固定し、さらに端子基台を回路基板とともにケース内に収容し、絶縁樹脂で封止することにより、高度の防水効果を発揮できるようにしている。
【０００４】
【発明が解決しようとする課題】
上記の充電器によれば、充電端子やそのリード端子を端子基台にインサート固定し、さらにリード端子を回路基板とともに絶縁樹脂内に埋設して封止するので、高度の防水効果を発揮する。しかし、充電端子まわりが筒状の壁で囲んであり、筒壁には水を排出するためのスリットを設けてあるものの、筒壁で囲まれた凹部の底面をスリットより低い位置に凹ませてあるため、充電端子の基部が滞留水に浸漬した状態のままで充電されることがある。このような状況で充電を行うと、充電端子が電気腐蝕を受けて短期間で使用不能になるおそれがある。充電器から流下する液滴の量が多い場合には、スリットから流れ出た水塊を介して充電端子どうしが短絡するおそれもある。
【０００５】
かかる液滴による電気腐蝕や短絡事故を回避するために、特開平１０−３０４５８１号公報の充電器においては、回路基板などを収容する本体ケースの底壁に液滴の流下を促進する傾斜壁を設け、その傾斜下端に水抜穴を設けることにより、ケース内に入り込んだ水の排出を促進している。
【０００６】
つまり、この充電器の場合には、小形電気機器から流下する液滴がケース内へ入り込むことを前提にして、ケース内へ入り込んだ液滴や水塊は、規定の排水経路に沿って流下排出できるようにしている。この充電器は、本体ケースがほぼ水平の設置面に載置されている限り、問題なく液滴を排出できる。しかし、充電器が傾斜する設置面に載置されると、ケース内に入り込んだ水が、本来の排水経路以外の部分へ入り込み、依然として短絡事故を生じるおそれがある。
【０００７】
本発明の目的は、ケース内へ入り込む液滴や水塊を確実にケース外へ排出でき、充電器が傾斜する設置面に載置されても、液滴や水塊がケース内に滞留するのを防止して、短絡事故や電気腐蝕などを解消できる、水洗い可能な小形電気機器に好適な充電器を提供することにある。
【０００８】
本発明の目的は、小形電気機器のスタンドを兼ねる箱状のケースと、ケース内に収容される充電ユニットとを備えており、ケース内に侵入した液滴や水塊は充電ユニットに設けた排水路を介して集約した状態でケース外へ流下排水できる充電器を提供することにある。
【０００９】
【課題を解決するための手段】
本発明の充電器は、図２に示すごとく充電対象Ｓを収容するための装填凹部７を備えたケース１と、ケース１内に固定される充電ユニット２とを備えている。充電ユニット２は、図３および図６に示すごとく内ケース２１と、内ケース２１内に配設されてある電装品Ｈと、内ケース２１の上壁２５に固定される接続ブロック２３と、接続ブロック２３内に組み付けられて充電電流を出力する充電端子２４とを含む。装填凹部７の底壁には、図１および図３に示すごとく接続ブロック２３用の通口８と、装填凹部７内に入り込んだ水を内ケース２１へ向かって流下させる流下口９・１０とを有する。そして、図１に示すごとく流下口９・１０から流れ込む水をケース１の外へ流動案内する排水路３２・３３が、充電端子２４の配設位置を避ける状態で、内ケース２１の上壁２５から周側面にわたって区画形成されていることを特徴とする（請求項１）。
【００１０】
具体的には、図１に示すごとく上壁２５に溢れ出た水の流下部位を周縁１箇所に流動規制するための擁壁２６が、上壁２５の周縁に突設されている。（請求項２）。
【００１１】
排水路３２・３３の流下部位と、上壁２５および擁壁２６で規定された流下部位とは、図１に示すごとく内ケース２１の一側周縁に集約することができる（請求項３）。
【００１２】
排水路３２・３３は、図１に示すごとく上壁２５に突設したリブ壁３４・４０で区画される横樋３５・４１と、横樋３５・４１に連続して内ケース２１の周側面に区画される縦樋３６・４２とで構成されている（請求項４）。
【００１３】
排水路３２の縦樋３６は、図１に示すごとく上壁２５の周縁一側を占める状態で形成されており、上壁２５および擁壁２６で規定される流下部位が、縦樋３６に連続している（請求項５）。
【００１４】
縦樋３６・４２は、内ケース２１の周側面と、周側面と一体に形成した壁とで管路状に区画されており、図６および図７に示すごとく縦樋３６・４２の下端に排水出口３７・４３が設けられる。（請求項６）。
【００１５】
ケース１は、下向きに開口するケース本体１Ａと、ケース本体１Ａの下面開口を塞ぐ底蓋１Ｂとで構成する。縦樋３６・４２の下端に設けた排水出口３７・４３は、底蓋１Ｂに形成した排水口１５・１６内に嵌まり込んでいる（請求項７）。
【００１６】
縦樋３６・４２の上端は、図１に示すごとく擁壁２６と同じ高さで突出している（請求項８）。
【００１７】
前記リブ壁３４は、図６に示すごとくその側端が縦樋３６の上面開口を横切って、縦樋３６の周壁と一体に形成されている（請求項９）。
【００１８】
リブ壁３４の側端は、図６に示すごとく縦樋３６の内面上部に入り込ませて規制壁３８を形成している（請求項１０）。
【００１９】
接続ブロック２３と充電端子２４とは、図６および図１０に示すごとくそれぞれ上壁２５に突出した突起２８ａ・２８ｂおよびねじボス２９で受け止めて、上壁２５から浮き離れた状態で支持固定されている（請求項１１）。
【００２０】
充電端子２４は、図９に示すごとくリード腕５５および接触片５６を備えたマイナス端子２４Ｍと、接触片５３を有する一対のリード腕５２および一対のリード腕５２どうしを繋ぐ接続枠５１を備えたプラス端子２４Ｐとからなり、プラス端子２４Ｐの接続枠５１が、マイナス端子２４Ｍのリード腕５５の突端外方に突出しており、マイナス端子２４Ｍのリード腕５５の突出端寄りと、プラス端子２４Ｐの接続枠５１とにそれぞれリード線４９が前後に位置ずれした状態で接続されている（請求項１２）。
【００２１】
プラス端子２４Ｐの接続枠５１は、図１１に示すごとくマイナス端子２４Ｍのリード腕５５より上方に立ち上がる状態で起立している（請求項１３）。
【００２２】
接続ブロック２３は、図９に示すごとくベース６０と、ベース６０の上面に突設される接続突起６１とを備えており、接続突起６１の内部に設けた端子室６２内に、図１０に示すごとく正負の両端子２４Ｐ・２４Ｍの接触片５３・５６が収容され、その天井壁にプラグピン５用の通口６３が開口しており、正負の両端子２４Ｐ・２４Ｍのリード腕５２・５５が、突起２８ａ・２８ｂと接続ブロック２３とで挟持固定されている（請求項１４）。
【００２３】
【発明の作用効果】
本発明（請求項１）の充電器は、装填凹部７を備えたケース１と、ケース１の内部に固定した充電ユニット２とを含み、装填凹部７内に入り込んだ水が流下口９・１０を介して充電ユニット２の内ケース２１へ向かって流下するようにした。充電ユニット２は、内ケース２１と、内ケース２１内に配設される電装品Ｈ等で構成し、流下口９・１０から流れ込む水を内ケース２１に設けた排水路３２・３３で流動案内したのち、ケース１の外部へ排出できるようにした。
【００２４】
従って本発明の充電器によれば、流下口９・１０からケース１内へ流れ込む水は、排水路３２・３３で集約して速やかに排水できるので、水が内ケース２１の上壁２５に沿って拡散し滞留することがない。しかも、排水路３２・３３は、充電端子２４の配設位置を避ける状態で内ケース２１の上壁２５から周側面にわたって区画されているので、流下口９・１０から流れ込む水が上壁２５に沿って拡散して充電端子２４に達するのを確実に防止でき、短絡事故や電気腐蝕の原因となる液滴や水塊の滞留を一掃して、水洗い可能な小形電気機器に好適な充電器を得ることができる。
【００２５】
充電器を適正に使用する限り、水が排水路３２・３３の外へ溢れ出ることはない。しかし、誤って大量の水が装填凹部７内へ注ぎ込まれた場合には、水の一部が内ケース２１の上壁２５のまわりに溢れ出ることがあり得る。こうした場合に備えて、本発明（請求項２）では、上壁２５の周縁に擁壁２６を突設して、上壁２５に溢れ出た水の流下部位を周縁１箇所に流動規制してある。このように、内ケース２１の上壁２５に溢れ出た水を、周縁１箇所に流動規制すると、溢れ出た水は１箇所の周側面からのみ流下して、そのままケース１の下方から排出されるので、この排水部分のみに吸水体（ティッシュペーパやスポンジなど）を敷設するだけで、充電器の底面一体の水浸し状態を防止できる。すなわち排水の管理が容易となる。
【００２６】
しかも、ケース１内へ入り込んだ水は排水路３２・３３で集約して流下するので、多くても２箇所の周側面の下方において排水処理を行えばよく、その手間が少なくて済む。
【００２７】
本発明（請求項３）では、図１に示すごとく排水路３２・３３の流下部位と、上壁２５および擁壁２６で規定された流下部位とが、内ケース２１の一側周縁に集約されているので、１箇所（１面）の周側面の下方において、排水処理を行うだけで済む。なお、この場合の擁壁２６は、排水路３２・３３の流下部位を除く上壁２５の周縁に形成する。
【００２８】
本発明（請求項４）では、上壁２５に突設したリブ壁３４・４０で区画される横樋３５・４１と、横樋３５・４１に連続して内ケース２１の周側面に区画される縦樋３６・４２とで排水路３２・３３が構成されているので、横樋３５・４１と上壁２５との間の水の流動をリブ壁３４・４０で確実に阻止できることになり、横樋３５・４１内へ入り込んだ水が上壁２５側へ流れ込むのをよく防止できる。充電器が傾斜面に載置された場合にでも、リブ壁３４・４０で水を受け止めて確実に縦樋３６・４２へ流動案内できる。横樋３５・４１に連続する縦樋３６・４２が、内ケース２１の周側面に区画して管路状に構成されているので、縦樋３６・４２を流下する水が周囲に拡散したり、内ケース２１とケース本体１との間に滞留したりするのもよく防止できる。
【００２９】
本発明（請求項５）では、図１に示すごとく上壁２５の周縁一側を占める状態で排水路３２の縦樋３６が形成され、上壁２５および擁壁２６で規定される流下部位が縦樋３６に連続しているので、ケース１内に侵入した全ての水を内ケース２１の一側面から、詳しくは縦樋３６の排水出口３７から集約して流下できる。従って、ケース１下方の１箇所からの排水を処理するだけで済む。また、ケース１と内ケース２１との間に水が拡散したり、あるいは毛管現象によって染み込むのをよく防止できる。なお、排水路３３は排水路３２の補助のために設けられるものであって省略することができる。
【００３０】
本発明（請求項６）では、縦樋３６・４２を管路状に区画したうえで、内ケース２１の下端に排水出口３７・４３を設けてあるので、縦樋３６・４２に案内されて流下してきた水を確実に排水口１５・１６からケース外へ流下でき、例えば毛管現象などで水が内ケース２１とケース１との間に滞留するのを確実に防止できる。
【００３１】
本発明（請求項７）では、ケース１の下面開口を塞ぐ底蓋１Ｂが設けられるので、底面から見たときの見苦しさがなく意匠的に優れている。また、縦樋３６・４２の下端に設けた排水出口３７・４３が、底蓋１Ｂに形成された排水口１５・１６内に嵌まり込んでいるので、縦樋３６・４２を流下してきた水が内ケース２１と底蓋１Ｂとの間に染み込むのを解消して、ケース１内へ入り込んだ水の全てを確実にケース外へ排出できる。しかも、ケース１内へ入り込んだ水を排水出口３７・４３から集約して排出するので、底蓋１Ｂにいくつもの排水口を穿設せずに済み、その分だけ底蓋１Ｂの強度低下を防止できる。
【００３２】
本発明（請求項８）では、縦樋３６・４２の上端が擁壁２６と同じ高さで突出しているので、横樋３５・４１から縦樋３６・４２へ向かって水が激しく流れ込むような最悪の場合でも、水が縦樋３６・４２の外へ飛び散るのを防止して、的確に排水できる。
【００３３】
本発明（請求項９）では、図６に示すごとくリブ壁３４の側端が縦樋３６の上面開口を横切って、リブ壁３４が縦樋３６の周壁と一体に形成されているので、横樋３５・４１から流れ込んで縦樋３６・４２に衝突し、跳ね返った水はリブ壁３４の側端で受け止めることができ、跳ね返った水が上壁２５へ逆流するのを防止し、再び縦樋３６・４２から流下排出できる。
【００３４】
本発明（請求項１０）では、図６に示すごとくリブ壁３４の側端下部に規制壁３８が形成されているので、横樋３５・４１から流れ込んで縦樋３６・４２に衝突し、跳ね返った水は規制壁３８で受け止めて、周囲に飛散するのを防止でき、跳ね返った水が横向きに飛散して上壁２５へ逆流するのを防いで、再び縦樋３６・４２から流下排出できる。
【００３５】
本発明（請求項１１）では、接続ブロック２３と充電端子２４とがそれぞれ上壁２５に突出した突起２８ａ・２８ｂおよびねじボス２９で受け止められて、上壁２５から浮き離れた状態で支持固定されているので、上壁２５に液滴や水塊が拡散してしまった最悪の状況下においても、水が充電端子２４に接触するのを阻止して短絡事故を防止し、電気腐蝕が生じるのも解消できる。
【００３６】
本発明（請求項１２）の充電端子２４は、リード腕５５および接触片５６を備えたマイナス端子２４Ｍと、接触片５３を有する一対のリード腕５２および一対のリード腕５２どうしを繋ぐ接続枠５１を備えたプラス端子２４Ｐとで構成され、プラス端子２４Ｐの接続枠５１が、マイナス端子２４Ｍのリード腕５５の突端外方に突出しており、マイナス端子２４Ｍのリード腕５５の突出端寄りと、プラス端子２４Ｐの接続枠５１とにそれぞれリード線４９が前後に位置ずれした状態で接続されているので、リード線４９と正負の両端子２４Ｐ・２４Ｍとのはんだ付け部分を前後に離れた位置に分離できることになり、リード線４９どうしの接触を確実に防止して、短絡事故を確実に回避できる。
【００３７】
本発明（請求項１３）では、プラス端子２４Ｐの接続枠５１がマイナス端子２４Ｍのリード腕５５より上方に立ち上がる状態で起立しているので、リード線４９と正負の両端子２４Ｐ・２４Ｍとのはんだ付け部分を前後の位置ずれに加えて、上下にも位置ずれした状態で分離できる。しかもリード線４９の結線方向が直交状に異なるので、リード線４９どうしの接触を更に確実に防止して、短絡事故を確実に回避できる。
【００３８】
本発明（請求項１４）では、正負の両端子２４Ｐ・２４Ｍの接触片５３・５６が、接続突起６１の内部に設けた端子室６２内に収容され、さらに両端子２４Ｐ・２４Ｍのリード腕５２・５５が、突起２８ａ・２８ｂと接続ブロック２３とで挟持固定されているので、接触片５３・５６を接続突起６１で保護できることになり、たとえば充電ユニット２をケース１に組み立る過程で充電端子２４が外力を受けて変形したり、位置ずれしたりするのを防止できる。しかも試験充電の際に、誤って接触片５３・５６を変形させてしまうこともよく解消できる。
【００３９】
【実施例】
（第１実施例）　図１ないし図１１は本発明に係る充電器の第１実施例を示す。この充電器は、水洗い式の電気かみそり（充電対象）Ｓに内蔵される２次電池を充電するために使用される。図２および図３において充電器は、電気かみそりＳのスタンドを兼ねるケース１と、ケース１内に収容される充電ユニット２と、充電ユニット２から導出される電源コード３と、充電ユニット２をケース１に装着固定するためのホルダー６とからなる。図６において電気かみそりＳの底壁には、充電用のソケット穴４が下向きに開口しており、ソケット穴４の内部に充電用の一対のプラグピン５が突設されている。
【００４０】
図３においてケース１は、それぞれプラスチック成形品からなる、下面が開口する四角箱状のケース本体１Ａと、ケース本体１Ａの下面開口を塞ぐ底蓋１Ｂとで構成してある。
【００４１】
ケース本体１Ａの上面中央には、電気かみそりＳを起立姿勢に保持する装填凹部７が形成されている。装填凹部７は、電気かみそりＳの外郭線に合致して断面小判形に形成してあり、その底壁の中央に充電ユニット２側の接続ブロック２３を受け入れる通口８が開口しており、対向する底壁隅部にそれぞれ装填凹部７内に入り込んだ水を内ケース２１へ向かって流下させるための流下口９・１０が底壁より突出する状態で形成されている（図６・図７参照）。ケース本体１Ａの内面には、充電ユニット２を固定するための３個のねじボス１１を有する。
【００４２】
図４において底蓋１Ｂは、載置面から僅かに浮き離れる底壁１３と、底壁１３の周辺部に沿って突設された周壁１４とを備えており、周壁１４が内嵌する状態でケース本体１Ａに対して着脱できる。底蓋１Ｂの上面は、充電ユニット２を受け入れる排水区画と、付属品を収容するためのポケット区画とに区分されており、排水区画の左右２箇所に排水口１５・１６が開口している。ポケット区画には、シェーバーオイルを収容する蓋付きの容器１７と、充電器Ｓの内刃を回転駆動しながら水洗い洗浄するための洗浄ブラシ１８とを収容するポケット１９ａ・１９ｂがそれぞれ前後に隣接して形成されている。
【００４３】
図１、図５、図６において、充電ユニット２は下向きに開口する直方体状の内ケース２１と、内ケース２１内に収容されて絶縁樹脂２２で封止固定される電装品Ｈと、内ケース２１の上壁２５の上面外側に組み付けられる接続ブロック２３および充電端子２４とからなる。
【００４４】
プラスチック成形品からなる内ケース２１は、横長長方形状の上壁２５を有し、上壁２５の前後の長辺部と右側の短辺部に沿ってリブ状の擁壁２６が突出形成されている。擁壁２６は、上壁２５の上に溢れ出た水が上壁２５の四周縁から流下するのを規制し、後述する縦樋３６へ向かって水を流動案内する。水の流動を促進するために、上壁２５の全体は縦樋３６へ向かって下り傾斜している（図７参照）。
【００４５】
図１に示すように内ケース２１の左端の前後隅部と、右端中央との３箇所には締結座２７を一体に設けてある。図９において上壁２５の上面には、接続ブロック２３および充電端子２４を上壁２５から浮き離れた状態で支持する一群の突起２８ａ・２８ｂとねじボス２９とがそれぞれ突設されている。前者の突起２８ａはピン状に形成し、後者の突起２８ｂは係合孔を備えたボス状に形成する。これら突起２８ａ・２８ｂの機能は後述する。符号３０は、リード線４９の中途部を支持するブラケットである。
【００４６】
先の流下口９・１０から流下して来る水を流動案内してケース１の外部へ排出するために、内ケース２１の上壁２５から底蓋１Ｂの排水口１５・１６にわたって第１排水路（排水路）３２と、第２排水路（排水路）３３とを形成する。
【００４７】
図１、図６および図９において第１排水路３２は、上壁２５に突設した左右に長いＵ字状のリブ壁３４で区分される第１横樋（横樋）３５と、第１横樋３５に連続して内ケース２１の左周側面に形成される縦樋３６とで構成してある。縦樋３６は、それぞれ内ケース２１と一体に成形される四角形状の側壁３６ａと、図８に示す前後壁３６ｂ、および底壁３６ｃとで区画されており、第１横樋３５の真下に位置する底壁３６ｃに排水出口３７が下向きに突出形成されている。第１横樋３５の底面は上壁２５と面一であって、縦樋３６に向かって下り傾斜している（図６参照）。
【００４８】
リブ壁３４の側端は、縦樋３６の上面開口を横切って前記側壁３６ａに連続しており、さらに上壁２５より内側下方にまで延長されて規制壁３８としてある（図６および図８参照）。前記側壁３６ａの上端は擁壁２６の上端と面一状になるように突設してある。第１排水路３２の縦樋３６は上壁２５の一側縁を占める状態で形成してあり、第１横樋３５からの水と、第１横樋３５の前後の上壁２５から流下する水とは、集約して排水出口３７から排出できる。
【００４９】
図１、図７および図９において第２排水路３３は、上壁２５に突設したＵ字状のリブ壁４０で区分される第２横樋（横樋）４１と、第２横樋４１に連続して内ケース２１の右側面に形成される縦樋４２とで構成してある。縦樋４２は内ケース２１の側面に膨出形成した断面コ字状の樋壁で区画してあり、その下端に排水出口４３が下向きに突出形成されている。第１排水路３２が左向きに水を流下案内するのに対して、第２排水路３３は右向きに水を流下案内する。第２横樋４１の底面は上壁２５と面一であって、縦樋４２に向かって下り傾斜している（図７参照）。
【００５０】
内ケース２１内に収容される電装品Ｈは、商用電源を降圧するトランスや、降圧された電流を整流するダイオード、充電時間を規定するタイマー、および過充電を防止する電流遮断回路などが実装された回路基板４８などからなる。ダイオードや電流遮断回路は充電対象Ｓに内蔵してあってもよい。
【００５１】
図７に示すように、内ケース２１内に電装品Ｈを配置固定したうえで、絶縁樹脂２２を内ケース２１内に流し込んで固化させることにより、電装品Ｈは内ケース２１の内部に封止状に固定される。絶縁樹脂２２は例えばポリウレタンからなる。絶縁樹脂２２の底面からは、充電電流を出力するための絶縁被覆されたリード線４９が導出されており、その導出端が充電端子２４にはんだ付けされている（図１参照）。
【００５２】
図９において充電端子２４は、それぞれ銅板を素材にしてプレス成形したのちメッキ処理されたプラス端子２４Ｐと、マイナス端子２４Ｍとからなる。プラス端子２４Ｐは、凸字状に形成された垂直の接続枠５１と、接続枠５１の両側端の下部から前方へ延びる左右一対のリード腕５２と、各リード腕５２の突端から上向きに折り曲げた一対の接触片５３とを一体に備えており、リード腕５２の先端寄りに係合孔５４が通設されている。マイナス端子２４Ｍは帯板状の水平のリード腕５５と、リード腕５５の先端寄りにおいて上向きに折り曲げた一対の接触片５６とを一体に備えており、リード腕５５の板面に２個の係合孔５７が通設されている。
【００５３】
図９において接続ブロック２３は、ベース６０と、ベース６０の上面に突設された接続突起６１とを一体に備えたプラスチック成形品からなる。接続突起６１の内部に、正負の各充電端子２４Ｐ・２４Ｍの接触片５３・５６を収容する３個の端子室６２が形成されており、その天井壁にプラグピン５用の通口６３が開口している。ベース６０の下面には、各リード腕５２・５５の係合孔５４・５７と係合するピン６４・６５を突設してある。接続突起６１は電気かみそりＳのソケット穴４に嵌係合して、電気かみそりＳの装填状態を維持する。
【００５４】
プラス端子２４Ｐとマイナス端子２４Ｍとは、それぞれ係合孔５４・５７がピン６４・６５と係合する状態で接続ブロック２３に組み付け、各リード腕５２・５５が突起２８ａ・２８ｂで受け止められた状態下で、ベース６０の左右に挿通したビス６６をねじボス２９にねじ込むことにより、図１０および図１１に示すように、各リード腕５２・５５は上壁２５から浮き離れた状態で固定する。この組み付け状態において、接続ブロック２３のピン６４・６５は、それぞれボス状の突起２８ｂの係合孔と係合して、各リード腕５２・５５を確りと固定する。
【００５５】
両端子２４Ｐ・２４Ｍの組み付け状態において、プラス端子２４Ｐの接続枠５１は、マイナス端子２４Ｍのリード腕５５の突端前方に突出しており、しかもマイナス端子２４Ｍのリード腕５５よりも上方へ垂直に立ち上がっているので、正負のリード線４９の導線どうしが接触するのをよく防止できる。
【００５６】
リード線４９の中途部はブラケット３０の保持溝に圧嵌装着されて、上壁２５から浮き離れた状態で支持されるており、このようにリード線４９を上壁２５から分離支持することにより、上壁２５上の液滴がリード線４９を伝ってリード腕５２・５５に達するのをよく防止する。中央に設けたマイナス端子２４Ｍの接触片５６の左右にプラス端子２４Ｐの２個の接触片５３を設けたのは、装填凹部７に電気かみそりＳが前向き、あるいは後向きに装填されたいずれの場合にでも、プラグピン５を正負の接触片５３・５６に接続できるようにするためである。
【００５７】
図３および図４においてホルダー６は、充電ユニット２を受け止める底壁７０と側壁７１とを有し、底壁７０の周囲３箇所には内ケース２１に設けた締結座２７を下面側から支持する３個のボス７２が上向きに突設されている。側壁７１には、第２排水路３３の縦樋４２を受け入れる縦溝７３を形成してあり、この縦溝７３の下端と底壁７０の左前隅とに、それぞれ排水出口３７・４３用の通口７４が開口している。符号７５の切り欠きは電源コード３の導出口である。
【００５８】
上記の各部品は以下の手順で組み立てる。まず、上下反転させたケース本体１Ａ内に充電ユニット２を装填し、接続ブロック２３が通口８に嵌り込む状態で、締結座２７をねじボス１１に接合する。さらにホルダー６を充電ユニット２に被せ付けて各ボス７２を締結座２７に接合し、図１０に示すようにボス７２および締結座２７に挿通したビス７６をねじボス１１にねじ込むことにより、ホルダー６と充電ユニット２とをケース本体１Ａに固定する。
【００５９】
この組み付け状態において、ケース本体１Ａに設けた流下口９・１０は、図６および図７に示すように、それぞれ第１横樋３５と第２横樋４１との端部に嵌まり込んでいる。また、両縦樋３６・４２の排水出口３７・４３は、ホルダー６の通口７４から下方に突出している。最後に、ケース本体１Ａを底蓋１Ｂの上面に被せ付けることにより、両排水出口３７・４３は図８に示すごとく排水口１５・１６内に嵌まり込む。
【００６０】
図１２は本発明に係る充電器の別実施例を示す。そこでは、装填部７に設けるべき流下口９を一箇所にのみ形成し、流下口９から滴り落ちる水を排水路３２で案内してケース１外へ排出するようにした。排水路３２は、先の第１実施例で説明した横樋３５と、内ケース２１の側面とケース本体１Ａの側壁との間に区画された縦樋３６とで構成され、底蓋１Ｂに設けた排水口１５から水を外部に排出する。上壁２５に溢れ出た水は、内ケース２１の後面とケース本体１Ａの後壁との間に区画された縦樋４５を介して流下し、底蓋１Ｂに設けた排水口４６から外部に排出する。
【００６１】
この場合の擁壁２６は縦樋４５を除く上壁２５の外周縁に突出形成してある。また、上壁２５は縦樋４５へ向かって下り傾斜している。このように、排水路３２は少なくとも１箇所に設けてあればよい。他は第１実施例と同じであるので、同じ部材には同じ符号を付して、その説明を省略する。
【００６２】
上記の実施例では、充電対象Ｓが電気かみそりの場合について説明したが、充電対象Ｓは２次電池であってもよい。正負の両端子２４Ｐ・２４Ｍは、全体が塗料や絶縁被覆で被覆してあってもよい。正負の両端子２４Ｐ・２４Ｍを接続ブロック２３の内部にインサート固定して、リード腕５２・５５のみが接続ブロック２３の外面に突出していてもよい。横樋３５・４１はリブ壁３４・４０で区画する必要はなく、上壁２５に凹みとして形成でき、その場合には上壁２５の上面が横樋３５・４１へ向かって下り傾斜するように形成する。なお、底蓋１Ｂは省略することができる。
【図面の簡単な説明】
【図１】充電ユニットの斜視図である。
【図２】充電器の正面側の斜視図である。
【図３】充電器の分解断面図である。
【図４】ホルダーおよび底蓋の分解斜視図である。
【図５】充電器の横断平面図である。
【図６】図５におけるＡ−Ａ線断面図である。
【図７】図５におけるＢ−Ｂ線断面図である。
【図８】図５におけるＣ−Ｃ線断面図である。
【図９】充電端子とその周辺構造を示す分解斜視図である。
【図１０】接続ブロックの縦断面図である。
【図１１】図１０におけるＤ−Ｄ線断面図である。
【図１２】充電器の別実施例を示す横断平面図である。
【符号の説明】
１　ケース
１Ａ　ケース本体
１Ｂ　底蓋
２　充電ユニット
７　装填凹部
８　通口
９・１０　流下口
１５・１６　排水口
２１　内ケース
２２　絶縁樹脂
２３　接続ブロック
２４　充電端子
２５　内ケースの上壁
２６　擁壁
３２・３３　排水路
３５・４１　横樋
３６・４２　縦樋
３７・４３　排水出口
Ｓ　電気かみそり
Ｈ　電装品
【図１】
2004023875.tif 000003
【図２】
2004023875.tif 000004
【図３】
2004023875.tif 000005
【図４】
2004023875.tif 000006
【図５】
2004023875.tif 000007
【図６】
2004023875.tif 000008
【図７】
2004023875.tif 000009
【図８】
2004023875.tif 000010
【図９】
2004023875.tif 000011
【図１０】
2004023875.tif 000012
【図１１】
2004023875.tif 000013
【図１２】
2004023875.tif 000014